(57)【要約】【課題】  バックアップバッテリの充電時間を検出し、満充電でない場合、バックアップ可能な予想時間を算出し通知する装置。【解決手段】  バッテリの充電開始時よりカウンタをカウントアップさせ、機器の設定操作後にパワーオフ操作をした時、カウンタのカウント値よりバッテリが満充電に達したかを判別し、満充電でない場合、カウント値より機器設定情報のバックアップ可能な予想時間を算出し通知する。【選択図】  図１
2008014737.tif 000002
【特許請求の範囲】
【請求項１】
時刻情報を生成及び保持する時刻情報手段と、前記時刻情報手段に時刻情報を入力及び各種入力をするための操作手段と、前記時刻情報をバックアップするためのバッテリと、前記バッテリを充電する充電手段とを備えた時刻情報バックアップ機器において、
所定の間隔でカウントアップするカウンタ手段と、前記カウンタ手段によるカウント値から前記バッテリのバックアップ可能時間を算出するバックアップ時間算出手段を設け、
本機器にＡＣ電源を投入した場合、前記充電手段により前記バッテリに充電を開始するとともに前記カウンタ手段によるカウントアップを開始し、
前記操作手段からの所定の操作時、前記カウント手段のカウント値を元に前記バックアップ時間算出手段で算出したバックアップ可能時間を通知することを特徴とする時刻情報バックアップ機器。
【請求項２】
請求項１記載の時刻情報バックアップ機器において、前記操作手段からの所定の操作は電源オフ操作であることを特徴とする時刻情報バックアップ機器。
【請求項３】
請求項１または２記載の時刻情報バックアップ機器において、カウント値から前記バッテリの充電状態を判別する満充電判別手段を設け、
前記操作手段からの所定の操作時、前記カウンタ手段からのカウント値から前記満充電判別手段により満充電ではないと判別された場合、バックアップ可能時間を通知することを特徴とする時刻情報バックアップ機器。
【請求項４】
請求項１乃至３のいずれかに記載の時刻情報バックアップ機器において、前記カウンタ手段からのカウント値を記憶する不揮発メモリと、前記時刻情報手段の時刻情報が正当であるかどうかの時刻情報判断手段とを設け、
前記操作手段による電源オフ操作時、前記カウンタ手段からのカウント値を前記不揮発メモリに記憶し、
電源オン時に前記時刻情報判断手段より前記時刻情報手段の時刻情報が正当でないと判断され、前記不揮発メモリに記憶されているカウント値から前記満充電判別手段により満充電ではないと判別された場合、充電不足を通知することを特徴とする時刻情報バックアップ機器。
【請求項５】
請求項１乃至４のいずれかに記載の時刻情報バックアップ機器において、所定時間毎に前記カウンタ手段からのカウント値を前記不揮発メモリに記憶し、
電源オン時に前記時刻情報判断手段より前記時刻情報手段の時刻情報が正当でないと判断され、前記不揮発メモリに記憶されているカウント値から前記満充電判別手段により満充電ではないと判別された場合、充電不足を通知することを特徴とする時刻情報バックアップ機器。
【発明の詳細な説明】
【技術分野】
【０００１】
本発明は、時刻情報バックアップ用二次電池を備えた時刻情報バックアップ機器に係り、特に二次電池の充電状況を使用者に通知する技術に関する。
【背景技術】
【０００２】
従来の背景技術として、特開２０００−３４１８６５号公報（特許文献１）の技術がある。この公報には、課題として、「二次電池の性能劣化を低減し且つ寿命劣化を検知して二次電池によるメモリバックアップを安定に行うことが可能なメモリバックアップ制御方法及び装置を提供する。」と記載されている。また、解決手段として、「ＣＰＵ１により、装置の電源オフ経過時間と装置の電源オン経過時間とに基づいて二次電池９の放電時間及び充電時間を管理する。」と記載されている。更にページ７の（００６２）には、「また、前記ステップＳ３０８において二次電池９が満充電状態でなかった場合は、ステップＳ３０９で充電不足のためバックアップできなかったことを示すメッセージを図示しない表示部に表示した後、ステップＳ３１１へ進む。」と記載されている。
【０００３】
【特許文献１】特開２０００−３４１８６５号公報
【発明の開示】
【発明が解決しようとする課題】
【０００４】
時刻情報バックアップ用の二次電池（バッテリ）を備えた時刻情報バックアップ機器の１つである監視機器では、後で画像を確認したい場合は、記録時の時刻を元に再生することになるので時刻情報が大切である。このため、停電等があっても時刻情報が失われないようにバックアップ用のバッテリにより時刻情報を保持するようになっている。しかしながら、長時間の停電等が起こると、バッテリ切れにより時刻情報が失われてしまうことがある。
【０００５】
ところで、監視機器の時刻や画質等の各種機器設定は、実際に監視機器を使用する人ではなく監視機器を設置する工事業者が行う事が主である。工事業者は監視機器の据付工事を円滑に進める為、監視機器の時刻や画質等の各種機器設定を予め設定しておいてから据付現場へ搬入する事が多い。ここで、設定作業は据付工事の前日や週末に行われ、その後は据付現場への搬入に備えて直ぐに再梱包されてしまう。このことは、監視機器の各種機器設定終了後直ぐに電源オフ操作、ＡＣ電源切断となる事を示している。通常、監視機器を通電して各種機器設定をしている間、バッテリを充電していれば１日程度はバックアップされる事が多いが、１日バックアップされない場合もある。そのため、各種機器設定後据付工事までに時間が経過すると、据付後使用者が監視機器のＡＣ電源を投入したときにバッテリ切れにより時刻情報が失われていると、再設定が必要になり利便性が悪いという問題があった。そのため、工事業者が各種機器設定をしたときに、どのくらいの期間バックアップができるか判断できると、充電不足でもバッテリ切れになるまでに据付通電することができ、時刻の再設定が不要となり便利である。特に、各種機器設定のような短い通電時間では、充電不足でありバックアップ時間が短くなるので、どのくらいの期間バックアップができるか判断できると利便性が向上する。
【０００６】
しかしながら、上記特許文献１記載の従来技術では、使用者が監視機器の電源を入れたときに時刻情報が失われていた場合、バッテリ切れを起こした原因が「充電不足」であることを表示するものである。そのため、各種機器設定時には据付後使用するまでに必要とするバックアップ時間分バッテリが充電されているか不明であり、ＡＣ電源を切断して良いかの判断が出来ず、利便性が悪いという問題があった。すなわち、据付までバックアップできるかどうか不明のままＡＣ電源を切断し、結果的にバッテリ切れを起こしてしまい、時刻の再設定が必要になってしまうことがあった。
【０００７】
そこで、時刻情報バックアップ用のバッテリを備えた時刻情報バックアップ機器において、時刻情報のバックアップ可能時間を通知することにより、所望のバックアップ時間分の充電がされたかの判断を可能とすることが重要である。
【０００８】
本発明の目的は、利便性が向上した時刻情報バックアップ機器を提供することにある。
【課題を解決するための手段】
【０００９】
上記の目的を達成するために、本発明のある一面の概要は、バッテリの充電開始時よりカウンタをカウントアップさせ、機器の設定操作後にパワーオフ操作をした時、カウンタのカウント値よりバッテリが満充電に達したかを判別し、満充電でない場合、カウント値より機器設定情報のバックアップ可能な予想時間を算出し通知することを特徴とする。
【００１０】
本発明は、特許請求の範囲に記載のとおりである。
【発明の効果】
【００１１】
本発明によれば、時刻情報バックアップ機器において、利便性が向上できる。
【発明を実施するための最良の形態】
【００１２】
以下、本発明による時刻情報バックアップ機器である監視機器の実施形態を、図面を用いて、説明する。
【実施例１】
【００１３】
図１は、本発明による監視機器の構成を示すブロック図である。本発明による監視機器の構成及び動作を図１を用いて説明する。尚、図中、点線内が本発明による監視機器１０１を示し、カメラ１とモニタ２は監視機器１０１の外部に接続される。
【００１４】
記録時の動作は、カメラ１より入力された映像信号は、Ａ／Ｄ３によりデジタル化され、さらに圧縮／伸張ＩＣ４にて圧縮処理をされる。ここで、圧縮動作時の記録画質等のパラメータは圧縮動作に先立って予めＣＰＵ（Ｃｅｎｔｒａｌ  Ｐｒｏｃｅｓｓｉｎｇ  Ｕｎｉｔ）６が不揮発ＲＡＭ（Ｒａｎｄｏｍ  Ａｃｃｅｓｓ  Ｍｅｍｏｒｙ）１３から機器設定情報を読み出して圧縮／伸張ＩＣ４を設定している。一方、ＣＰＵ６は時計ＩＣ１０より時刻情報を読み取り、圧縮／伸張ＩＣ４にて圧縮処理された映像データに記録日時等の管理情報を付加し記録データとしてＣＰＵバス５及びＨＤＤ（ハードディスクドライブ）インターフェースＩＣ１６を経由してＨＤＤ１７に記録する。
【００１５】
再生時の動作は、ＣＰＵ６が操作キー７により指定された日時の記録データをＨＤＤ１７より取り出しＨＤＤインターフェースＩＣ１６及びＣＰＵバス５を経由して圧縮／伸張ＩＣ４へ送る。ＨＤＤ１７より取り出された記録データには映像データの他に記録日時等の情報も含まれているので ＣＰＵ６は圧縮／伸張ＩＣ４にて伸張された映像データに記録日時情報等の文字情報をＯＳＤ（Ｏｎ  Ｓｃｒｅｅｎ  Ｄｉｓｐｌａｙ）ＩＣ９で付加してＤ／Ａ８に送りアナログの映像信号にして、モニタ２へ表示する。
【００１６】
ここで、電源の供給について説明する。ＡＣ電源の切断時には、二次電池であるバッテリ１４からの電源が電源切換ＩＣ１２を経由して時計ＩＣ１０をバックアップし、時計ＩＣ１０にある時刻情報を保持する。このとき、他のブロックには、電源が供給されず動作が停止する構成となっている。ここで、ＡＣ電源が投入されると、電源回路１８が立上がり、バッテリ充電回路１５を介してバッテリ１４を充電開始するとともにＨＤＤ１７を除いた全ブロックへ電源が供給され、動作を開始する構成となっている。また、操作キー７にある電源キーにより電源オン操作すると、ＨＤＤ１７に電源を供給し動作を開始する構成となっている。
【００１７】
尚、ＨＤＤ１７の電源は、工場出荷状態等のように本機器が電源オフ操作で終了している場合は、電源オン操作がされないと電源を供給しないようになっている。これは、本機器の据付が完了していない状態で本機器を移動することがあり、ＡＣ電源の投入後ＨＤＤ１７の動作中に本機器を移動してＨＤＤ１７に衝撃を加えてしまう事を防止するためである。 また、ＡＣ電源の投入時にＨＤＤ１７を動作させると、ＡＣ電源を切断してもＨＤＤ１７内部のシリンダは未だ惰性で回転しており、この時にＨＤＤ１７に衝撃を加えてしまう事を防止するＨＤＤ１７の保護を目的としている。
【００１８】
次に、本発明に係る構成及び動作について説明する。本監視機器１０１は、時刻情報を生成及び保持する時刻情報手段である時計ＩＣ１０と、時計ＩＣ１０に時刻情報を入力及び各種入力をするための操作手段である操作キー７と、時計ＩＣ１０をバックアップするためのバッテリ１４と、バッテリ１４を充電する充電手段であるバッテリ充電回路１５と、カウント値を記憶する不揮発メモリ１３とを備えている。また、ＣＰＵ６は、所定の間隔でカウントアップするカウンタ手段と、カウント値からバッテリ１４のバックアップ可能時間を算出するバックアップ時間算出手段と、カウント値からバッテリ１４の充電状態を判別する満充電判別手段と、時計ＩＣ１０の時刻情報が正当であるかどうかの時刻情報判断手段とを備えている。
【００１９】
まず、工事業者による本機器のＡＣ電源投入から時刻情報等の設定をしてＡＣ電源を切断するまでの動作を説明する。ＡＣ電源が投入されると電源回路１８はバッテリ充電回路１５を経由してバッテリ１４を充電開始するとともにＨＤＤ１７を除いた全ブロックに電源を供給する。ＣＰＵ６は、ＣＰＵバス５に接続されているメモリ１１をアクセスし本機器動作のためのプログラムを読み出して機器制御動作を開始し、不揮発ＲＡＭ１３から充電時間を示すカウント情報を読み出し、このカウント値から定期的にカウントアップする処理を開始する。同時に、カウントアップしているカウント値を定期的に充電時間を示すカウント情報として不揮発ＲＡＭ１３へ書き込む処理も開始する。さらに、ＣＰＵ６は不揮発ＲＡＭ１３から工場出荷状態であること、前回電源オフの処理を経てＡＣ電源の切断となった事、時刻情報設定履歴がないことなどの情報を得る。その後、ＣＰＵ６は、工事業者に操作キー７による電源オン操作を促すためのメッセージをＯＳＤ ＩＣ９で付加してＤ／Ａ８を経由してモニタ２に表示する。操作キー７にある電源キーによる電源オン操作が行われると時刻情報設定履歴がないので時刻設定を促すメッセージに続いて時刻設定画面表示のための操作を行うと、時刻設定画面をＯＳＤ ＩＣ９で生成してＤ／Ａ８を経由してモニタ２に表示する。操作キー７により入力された時刻情報で時計ＩＣ１０の時刻情報を設定し、不揮発ＲＡＭ１３へ時刻情報設定履歴有りを書き込む。更に、工事業者が画質等の機器設定を行いう場合は、操作キー７の操作によりＯＳＤ ＩＣ９で生成してＤ／Ａ８を経由してモニタ２へ表示する機器設定画面に従って操作キー７により設定を行う。
【００２０】
以上で必要な各種機器設定の作業が終了したので、工事業者は操作キー７にある電源キーにて電源オフ操作を行うとＣＰＵ６は、ＣＰＵ６内で定期的にカウントアップ処理している現在のカウント値を参照する。ＣＰＵ６は、カウント値より予想バックアップ可能時間を算出し、充電不足の場合は充電不足通知のためのメッセージと算出した予想バックアップ可能時間をＯＳＤ ＩＣ９で生成してＤ／Ａ８を経由してモニタ２へ表示する。通常、この各種設定をした時点では、バッテリ１４が満充電になるカウント値にはなっていないので充電不足となっている。ここで、操作キー７にて再度電源オフの操作がされた場合は、充電不足の状況で電源オフをした旨の履歴を不揮発ＲＡＭ１３に記録し、ＨＤＤ１７への電源供給を停止し電源オフとし、ＡＣ電源を切断する。これで工事業者による据付の準備が完了し、その後据付工事をする。
【００２１】
上述したように、監視機器の各種機器設定を終了した後、電源オフ操作をしたときに、充電不足のアラームとバックアアップ可能時間とが表示されるので、所望のバックアップ時間分の充電がされたかの判断が可能となり、利便性が向上できる。すなわち、使用者が電源オフしようとする場合に、通知されたバックアップ可能時間からＡＣ電源を切断してよいか、または監視機器の通電を延長すべきかが判断でき、バックアップ切れによる時刻の再設定の手間を省ける。
【００２２】
尚、本実施例では、バックアップ可能時間は電源キーによる電源オフ操作時に充電不足の場合に表示することで説明したが、表示するタイミング及び状態はこれに限るものではない。例えば、任意のキーを操作したときに、バックアップ可能時間を表示するようにしてもよい。さらに、充電不足ではない状態でも表示してよい。
【００２３】
次に、使用者による本機器のＡＣ電源投入から通常動作までの動作を説明する。ＡＣ電源が投入されると電源回路１８はバッテリ充電回路１５を経由してバッテリ１４を充電開始するとともにＨＤＤ１７を除いた全ブロックに電源を供給する。ＣＰＵ６は、ＣＰＵバス５に接続されているメモリ１１をアクセスし本機器動作のためのプログラムを読み出して機器制御動作を開始し、不揮発ＲＡＭ１３から充電時間を示すカウント情報を読み出し、この値から定期的にカウントアップする処理を開始する。また同時に、カウントアップしているカウント値を定期的に充電時間を示すカウント情報として不揮発ＲＡＭ１３へ書き込む処理も開始させる。さらに、ＣＰＵ６は不揮発ＲＡＭ１３から工場出荷状態ではない事、前回電源オフの処理を経てＡＣ電源の切断となった事、時刻情報設定履歴があることなどの情報を得る。その後、ＣＰＵ６は、使用者に操作キー７による電源オン操作を促すためのメッセージをＯＳＤ  ＩＣ９で付加してＤ／Ａ８を経由してモニタ２に表示する。操作キー７にある電源キーによる電源オン操作が行われると時刻情報設定履歴があるのでＣＰＵ６は、時計ＩＣ１０をアクセスし、時計ＩＣ１０内部の時刻情報が正当がどうかを時計ＩＣ１０の内部レジスタにより判断する。時刻情報が正当である場合は、通常動作を開始する。ここで、バッテリ切れのため時刻情報が不正であった場合、ＣＰＵ６は不揮発ＲＡＭ１３から予め読み出していた充電時間を示すカウント値と満充電を示す値とを比較し、前回ＡＣ電源を切断した時に満充電になっていたかを判断し、日時設定を促すメッセージと、再設定が必要な理由として充電不足によるバックアップバッテリ切れのメッセージをＯＳＤ ＩＣ９で生成してＤ／Ａ８を経由してモニタ２へ表示する。通常、工事業者は、満充電になるまで長い間通電を行わないので充電不足となっており、日時設定を促すメッセージと、その理由として充電不足によるバックアップバッテリ切れのメッセージをモニタ２へ表示することになる。  
上述したように、使用者が監視機器のＡＣ電源を投入した時に、時刻情報が失われている場合は、充電不足の状態でＡＣ電源を切断したためにバックアップできなかったことを表示するので、機器不良により機器設定情報が消失したのではないことが使用者に伝わり、クレームが無くなる。
【００２４】
また、ＣＰＵ６でカウントアップしているカウント値を定期的に充電時間を示すカウント情報として不揮発ＲＡＭ１３へ書き込む処理をしている。そのため、工事業者が各種機器設定後、電源オフ操作をせずに電源オンの状態から直接ＡＣ電源を切断した場合でも通電していた間のカウント値が保持されるため、使用者がＡＣ電源を投入した時に充電不足であったかの表示ができる。
【００２５】
次に、工事業者による監視機器のＡＣ電源投入から時刻情報等の設定、ＡＣ電源切断及び使用者によるＡＣ電源投入から通常動作までの処理の流れを図２、図３を用いて説明する。図２は本発明による監視機器のＡＣ電源投入時のフローチャート、図３は本発明による監視機器の電源オフ操作時のフローチャートである。
【００２６】
まず、工事業者による監視機器のＡＣ電源投入から通常動作までの処理の流れを説明する。
【００２７】
ステップＳ２０１で監視機器のＡＣ電源が投入されると、次のステップＳ２０２でＣＰＵ６は不揮発ＲＡＭ１３内のバッテリ充電時間を示すカウント値を格納しているアドレスからカウント情報を読み出し、ステップＳ２０３でその値からＣＰＵ６の内部カウンタのカウントアップ処理を開始させる。ここで、ステップＳ２０２で読み出されるカウント値は、本機器が工場出荷状態であるのでゼロとなっている。
【００２８】
ステップＳ２０４で定期的にカウント値を不揮発ＲＡＭ１３内に記憶する処理も開始させる。ステップＳ２０５でＣＰＵ６は不揮発ＲＡＭ１３内の電源オフ状況を記憶しているアドレスを読み出し、前回本機器が電源オフ処理を経てＡＣ電源が切断されたか（正規に電源オフ）を判断する。ここで、本機器は工場出荷状態なので正規に電源オフされたと判断されステップＳ２０６へ進む。ステップＳ２０６では、ＣＰＵ６はＯＳＤ ＩＣ９を制御してＤ／Ａ８経由にてモニタ２へ電源オン操作を促す画面の表示を行い、電源オン操作を待つ。操作キー７により電源オン操作がされると、ステップＳ２０７で、ＣＰＵ６は不揮発ＲＡＭ１３内の時刻情報設定履歴を記憶しているアドレスを読み出し時計ＩＣ１０へ時刻情報を設定していたかを判断する。ここで、本機器は工場出荷状態なので時刻情報設定履歴は無いと判断されステップＳ２０８へ進む。ステップＳ２０８では、ＣＰＵ６はＯＳＤ  ＩＣ９を制御してＤ／Ａ８経由にてモニタ２へ時刻情報の設定を促す画面の表示を行う。ステップＳ２１４で操作キー７により時刻情報の設定操作がされ、ステップＳ２１５で時刻情報設定の終了が判断されるとステップＳ２１１へ進む。ステップＳ２１１では、その後の操作として時刻情報以外の画質等の機器設定等の操作がされ不揮発ＲＡＭ１３内に記憶され、通常動作になる。その後、図２（Ａ）から図３のステップＳ３０１以降の電源オフ操作時の処理に進む。
【００２９】
工事業者が操作キー７により本機器の電源オフ操作をするとステップＳ３０１でＣＰＵ６は電源オフ処理を開始し、ステップＳ３０２でＣＰＵ６内部のカウンタのカウント値を参照する。ステップＳ３０３でＣＰＵ６はカウント値が予め定められている満充電を示す値以上かどうかを判別する。満充電以上のカウント値であった場合はステップＳ３０９へ、そうでない場合はステップＳ３０４へそれぞれ進む。ステップＳ３０９では、不揮発ＲＡＭ１３へ正規の電源オフ処理を経て電源オフ処理をしたことの履歴を書き込む。その後ステップＳ３１０でＨＤＤ１７への電源供給を停止し電源オフ処理を終了し、ステップＳ３１１で工事業者によるＡＣ電源の切断を待つ。
【００３０】
ステップＳ３０３でカウンタの値が満充電を示す値に達していなかった場合は充電不足と判断され、 ステップＳ３０４でステップＳ３０２で参照したカウント値よりバックアップ可能予測時間を算出する。
算出方法の一例として、本実施例では
充電時間  ＝  カウント値  ｘ  カウントアップ間隔
充電量  ＝  充電電流  ｘ  充電時間  ｘ  効率η 
バックアップ可能予想時間 ＝ 充電量 ÷ バックアップ中の消費電流 
の関係式を用いて算出している。 
ステップＳ３０５でバッテリの充電時間不足によりこのまま電源をオフすると時刻情報を消失する恐れがあるので、充電不足であることの警告とステップＳ３０４で算出したバックアップ可能な予想時間を表示する画面をＯＳＤ ＩＣ９を制御してＤ／Ａ８経由にてモニタ２へ表示する。バックアップ可能な予想時間を表示することは、満充電でなくても工事業者が所望するバックアップ時間が得られているかを判断出来るようにした利便性の向上策である。
【００３１】
ステップＳ３０６で操作キー７により電源オフ処理を続行する場合はステップＳ３０８へ、電源オフ処理をしない場合はステップＳ３０７へそれぞれ進む。ステップＳ３０７では、工事業者が電源オフを望まない場合であるので電源オフ処理を中止し、ステップＳ３０１前の通常動作状態に戻り、所望のバックアップ時間分の充電がされるのを待つ。
【００３２】
ステップＳ３０６で電源オフ処理を続行した場合は、ステップＳ３０８では工事業者が時刻情報消失の恐れがある事を承知で電源オフ処理を行ったので、充電不足で電源オフをした旨の履歴をＣＰＵ６が不揮発ＲＡＭ１３内へ記憶する。これは本機器が時刻情報をバックアップできないとのクレームになった時の解析に使用する。
【００３３】
ステップＳ３０９で正規の電源オフ処理を経て電源オフ処理をしたことの履歴を不揮発ＲＡＭ１３に記憶し、ステップＳ３１０でＨＤＤ１７への電源供給を停止し電源オフ処理を終了し、ステップＳ３１１で工事業者によるＡＣ電源の切断を待つ。
【００３４】
次に、使用者による監視機器のＡＣ電源投入から通常動作までの処理の流れを説明する。
【００３５】
ステップＳ２０１で監視機器のＡＣ電源が投入されると、次のステップＳ２０２でＣＰＵ６は不揮発ＲＡＭ１３内のバッテリ充電時間を示すカウント値を格納しているアドレスからカウント情報を読み出し、ステップＳ２０３でその値からＣＰＵ６の内部カウンタのカウントアップ処理を開始させる。尚、ここで読み出されるカウント値は、工事業者がＡＣ電源を切断にする直前に記憶されていた値である。
【００３６】
ステップＳ２０４で定期的にカウント値を不揮発ＲＡＭ１３内に記憶する処理も開始させる。ステップＳ２０５でＣＰＵ６は不揮発ＲＡＭ１３内の電源オフ状況を記憶しているアドレスを読み出し、前回ＡＣ電源が切断されたときの電源オフ処理が正規かどうか判別され、工事業者が正規の電源オフの処理をして場合はステップＳ２０６で、電源オン操作を促す画面の表示を行い、電源オン操作を待ち、ステップＳ２０７へ進む。正規の電源オフ処理を経由しないでＡＣ電源を直接切断した場合は、ステップＳ２０７へ進む。ステップＳ２０５で電源オフ処理の判別をしている理由は、停電復帰後は本機器が速やかに停電前の状態を継続する為であり、電源オフ処理を経由してＡＣ電源を切断した場合は、電源オン処理を経て本機器を起動させる為である。
【００３７】
ステップＳ２０７で、不揮発ＲＡＭ１３内の時刻情報設定履歴を記憶しているアドレスを読み出し時計ＩＣ１０へ時刻情報を設定していたかを判断する。ここでは、既に時刻情報設定履歴があるのでステップＳ２０９へ進む。ステップＳ２０９でＣＰＵ６は時計ＩＣ１０をアクセスして時計ＩＣ１０内部の時刻情報の正当性を判別する。これは、時計ＩＣ１０内部にある時計ＩＣ１０への電源供給が継続していたかを判別するレジスタを参照して行う。工事業者によるバッテリ充電時間が十分であり時刻情報が正当であった場合はステップＳ２１１へ進み通常動作開始となる。バッテリ充電時間が足りず時刻情報が不正であった場合はステップＳ２１０へ進む。ステップＳ２１０でＣＰＵ６は不揮発ＲＡＭ１３内のバッテリ充電時間を示すカウント値を格納しているアドレスを読み出し、カウント値が予め定められている満充電を示す値以上かどうかを判別する。工事業者による各種機器設定動作による通電時間では、バッテリ１４の充電時間は不足で、満充電を示す値以上にはならずステップＳ２１３へ進む。ステップＳ２１３で、ＣＰＵ６はＯＳＤ  ＩＣ９を制御してＤ／Ａ８経由にてモニタ２へ日時設定を促すメッセージと共に再設定が必要な理由として充電不足によるバックアップバッテリ切れのメッセージを表示し、さらに、ＣＰＵ６不揮発ＲＡＭ１３内にバッテリの充電不足により時刻情報を失った履歴を記憶する。これは本機器が時刻情報をバックアップできないとのクレームになった時解析に使用する。ステップＳ２１３でメッセージを表示後はステップＳ２０８、ステップＳ２１４、ステップＳ２１５で時刻を設定し、ステップＳ２１１に進み通常動作となる。
【００３８】
ステップＳ２１０でカウント値が予め定められている満充電を示す値以上と判別された場合は、バッテリが満充電に達してからバッテリバック可能時間を超えてＡＣ電源を長期間断した場合であり、ステップＳ２１２へ進む。ステップＳ２１２でＣＰＵ６はＯＳＤ  ＩＣ９を制御してＤ／Ａ８経由にてモニタ２へ日時設定を促すメッセージと共に再設定が必要な理由として長期間の電源断によるバックアップバッテリ切れのメッセージを表示する。 その後ステップＳ２０８ 、ステップＳ２１４、ステップＳ２１５で時刻を設定し、ステップＳ２１１に進み通常動作となる。
【００３９】
次に、本発明による監視機器の画面表示例を、図４〜図８を用いて説明する。図４は本発明による監視機器の電源オン操作を促す画面表示例、図５は本発明による監視機器の日時設定を促す画面表示例、図６は本発明による監視機器の充電不足のため日時設定を促す表示例、図７は本発明による監視機器の長時間電源断のため日時設定を促す画面表示例、図８は本発明による監視機器の電源オフ操作時の表示画面例である。
【００４０】
図４はステップＳ２０６時に表示する表示画面で、「電源ＯＮボタンを押してください」のメッセージをモニタ２に表示し、工事業者または使用者からの電源オン操作を促すようになっている。
【００４１】
図５はステップＳ２０８時に表示する表示画面で、「日時設定をして下さい」のメッセージをモニタ２に表示し、操作キー７による時刻情報の設定操作を促すようになっている。
【００４２】
図６はステップＳ２１３時に表示する表示画面で、「日時を設定して下さい」と時刻情報を失った理由を「理由  充電不足によるバックアップバッテリ切れ」のメッセージをモニタ２に表示し、操作キー７による時刻情報の設定操作を促すとともに充電不足で時刻情報が失われたのであり、機器不良により時刻情報が消失したのではないことを使用者に通知するようになっている。これにより、使用者からの問合せを減少できる。
【００４３】
図７はステップＳ２１２時に表示する表示画面で、「日時を設定して下さい」と時刻情報を失った理由を「理由  長時間の電源断」のメッセージをモニタ２に表示し、操作キー７による時刻情報の設定操作を促すとともに長時間ＡＣ電源が切断されていたために時刻情報が失われたのであることを、使用者に通知するようになっている。
【００４４】
図８はステップＳ３０５時に表示する表示画面で、「バックアアップバッテリが満充電になっていません」と「予想バックアップ可能時間  ＊＊時間」のメッセージをモニタ２に表示し、通知されたバックアップ可能時間からＡＣ電源を切断してよいか、または監視機器の通電を延長すべきかが判断でき利便性が向上し、バックアップ切れによる時刻の再設定の手間を省ける。
【００４５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【００４６】
以上の説明から明らかなとおり、本発明は、以下の構成を含む。
【００４７】
時刻情報を生成及び保持する時刻情報手段と、前記時刻情報手段に時刻情報を入力及び各種入力をするための操作手段と、前記時刻情報手段をバックアップするためのバッテリと、前記バッテリを充電する充電手段とを備えた時刻情報バックアップ機器において、所定の間隔でカウントアップするカウンタ手段と、前記カウンタ手段によるカウント値から前記バッテリのバックアップ可能時間を算出するバックアップ時間算出手段を設け、本機器にＡＣ電源を投入した場合、前記充電手段により前記バッテリに充電を開始するとともに前記カウンタ手段によるカウントアップを開始し、前記操作手段からの所定の操作時、前記カウント手段のカウント値を元に前記バックアップ時間算出手段で算出したバックアップ可能時間を通知することを特徴とする。これにより、所定の操作で所望のバッテリバックアップ時間分の充電がされたかどうかの判断が可能となり、利便性が向上できる。
【００４８】
さらに、前記操作手段からの所定の操作は電源オフ操作であることを特徴とする。これにより、電源オフ操作をする時に、所望のバッテリバックアップ時間分の充電がされたかどうかの判断が可能となり、利便性が向上できる。すなわち、使用者が電源オフしようとする場合に、通知されたバックアップ可能時間からＡＣ電源を切断してよいか、または監視機器の通電を延長すべきかが判断でき、バックアップ切れによる時刻の再設定の手間を省ける。
【００４９】
さらに、カウント値から前記バッテリの充電状態を判別する満充電判別手段を設け、前記操作手段からの所定の操作時、前記カウンタ手段からのカウント値から前記満充電判別手段により満充電ではないと判別された場合、バックアップ可能時間を通知することを特徴とする。これにより、充電不足の場合に所望のバッテリバックアップ時間分の充電がされたかどうかの判断が可能となり、利便性が向上できる。
【００５０】
さらに、前記カウンタ手段からのカウント値を記憶する不揮発メモリと、前記時刻情報手段の時刻情報が正当であるかどうかの時刻情報判断手段とを設け、前記操作手段による電源オフ操作時、前記カウンタ手段からのカウント値を前記不揮発メモリに記憶し、電源オン時に前記時刻情報判断手段より前記時刻情報手段の時刻情報が正当でないと判断され、前記不揮発メモリに記憶されているカウント値から前記満充電判別手段により満充電ではないと判別された場合、充電不足を通知することを特徴とする。これにより、機器不良により時刻情報等の機器設定情報が消失したのではないことが使用者に伝わり問合せが減少する。
【００５１】
さらに、所定時間毎に前記カウンタのカウント値を前記不揮発メモリに記憶し、電源オン時に前記時刻情報判断手段より前記時刻情報手段の時刻情報が正当でないと判断され、前記不揮発メモリに記憶されているカウント値から前記満充電判別手段により満充電ではないと判別された場合、充電不足を通知することを特徴とする。このように、所定の一定時間毎にカウント値を記憶することにより使用者が本機器の電源オフ操作を行わずＡＣ電源の切断を行っても、通電していた間のカウント値が保持されるため、使用者がＡＣ電源を投入した時に充電不足であったかの表示ができる。
【００５２】
以上の構成によれば、時刻情報バックアップ用のバッテリを備えた時刻情報バックアップ機器において、時刻情報のバックアップ可能時間を通知することにより、所望のバックアップ時間分の充電がされたかの判断が可能となり、利便性が向上できる。すなわち、使用者が電源オフしようとする場合に、通知されたバックアップ可能時間からＡＣ電源を切断してよいか、または監視機器の通電を延長すべきかが判断でき、バックアップ切れによる時刻の再設定の手間を省ける。
【図面の簡単な説明】
【００５３】
【図１】本発明による監視機器の構成を示すブロック図
【図２】本発明による監視機器のＡＣ電源投入時のフローチャート
【図３】本発明による監視機器の電源オフ操作時の動作を示すフローチャート
【図４】本発明による監視機器の電源オン操作を促す画面表示例
【図５】本発明による監視機器の日時設定を促す画面表示例
【図６】本発明による監視機器の充電不足のため日時設定を促す画面表示例
【図７】本発明による監視機器の長期間電源断のため日時設定を促す画面表示例
【図８】本発明による監視機器の電源オフ操作時の画面表示例
【符号の説明】
【００５４】
１…カメラ、１０１…監視機器、２…モニタ、３…Ａ／Ｄ、４…圧縮／伸張ＩＣ、
５…ＣＰＵバス、６…ＣＰＵ、７…操作キー、８…Ｄ／Ａ、９…ＯＳＤ  ＩＣ、
１０…時計ＩＣ、１１…メモリ、１２…電源切替ＩＣ、１３…不揮発ＲＡＭ、
１４…バッテリ、１５…バッテリ充電回路、１６…ＨＤＤインターフェースＩＣ、
１７…ＨＤＤ、１８…電源回路
【図１】
2008014737.tif 000003
【図２】
2008014737.tif 000004
【図３】
2008014737.tif 000005
【図４】
2008014737.tif 000006
【図５】
2008014737.tif 000007
【図６】
2008014737.tif 000008
【図７】
2008014737.tif 000009
【図８】
2008014737.tif 000010